(57)【要約】【課題】  左上側音声データ、右上側音声データに対応するスピーカー出力端子が設けられていない場合にも、これらの音声データを再生すること。【解決手段】  マルチチャンネル音声データに左上側音声データ及び右上側音声データが含まれていると判断された場合、左音声データ及び右音声データをディスプレイ装置に送信し、ディスプレイ左スピーカーから左音声データを再生させ、ディスプレイ右スピーカーから右音声データを再生させると共に、天井に取り付けられた左スピーカーから左上側音声データを再生させ、天井に取り付けられた右スピーカーから右上側音声データを再生させる。一方、マルチチャンネル音声データに左上側音声データ及び右上側音声データが含まれていないと判断された場合、左スピーカーから左音声データを再生させ、右スピーカーから右音声データを再生させる。【選択図】図４
2010278846.tif 000002
【特許請求の範囲】
【請求項１】
ディスプレイ左スピーカー及びディスプレイ右スピーカーを備えるディスプレイ装置と、前方左側であって前記ディスプレイ左スピーカーよりも上方に配置される左スピーカー及び前方右側であって前記ディスプレイ右スピーカーよりも上方に配置される右スピーカーとが接続可能な音声処理装置であって、
左音声データ及び右音声データを少なくとも含むマルチチャンネル音声データに、左上側音声データ及び右上側音声データが含まれているかを判断するチャンネル判断手段と、
マルチチャンネル音声データに左上側音声データ及び右上側音声データが含まれていると判断された場合、左音声データ及び右音声データを前記ディスプレイ装置に送信し、前記ディスプレイ左スピーカーから左音声データを再生させ、前記ディスプレイ右スピーカーから右音声データを再生させると共に、前記左スピーカーから左上側音声データを再生させ、前記右スピーカーから右上側音声データを再生させる再生制御手段とを備え、
マルチチャンネル音声データに左上側音声データ及び右上側音声データが含まれていないと判断された場合、前記再生制御手段が、前記左スピーカーから左音声データを再生させ、前記右スピーカーから右音声データを再生させる、音声処理装置。
【請求項２】
前記ディスプレイ装置が前記音声処理装置に接続されているか否かを判断するディスプレイ接続判断手段をさらに備え、
前記ディスプレイ装置が前記音声処理装置に接続されていないと判断された場合、マルチチャンネル音声データに左上側音声データ及び右上側音声データが含まれているか否かに関係なく、前記左スピーカーから左音声データを再生させ、前記右スピーカーから右音声データを再生させる、請求項１に記載の音声処理装置。
【請求項３】
前記ディスプレイ装置が、ボリューム設定コマンドを受信したとき、前記ディスプレイ左スピーカー及び前記ディスプレイ右スピーカーから再生される音声のボリューム値を、ボリューム設定コマンドに含まれているボリューム値に設定するものであり、
マルチチャンネル音声データに、左上側音声データ及び右上側音声データが含まれていると判断された場合、前記音声処理装置に設定されているボリューム値を含むボリューム設定コマンドを前記ディスプレイ装置に送信するボリューム制御手段をさらに備える、請求項１または２に記載の音声処理装置。
【請求項４】
ディスプレイ左スピーカー及びディスプレイ右スピーカーを備えるディスプレイ装置と、前方左側であって前記ディスプレイ左スピーカーよりも上方に配置される左スピーカー及び前方右側であって前記ディスプレイ右スピーカーよりも上方に配置される右スピーカーとが接続可能な音声処理装置であって、
左音声データ及び右音声データを少なくとも含むマルチチャンネル音声データにおける左上側音声データ及び右上側音声データ以外のチャンネルの音声データから左上側音声データ及び右上側音声データを生成するように設定されているか否かを判断する設定判断手段と、
左上側音声データ及び右上側音声データ以外のチャンネルの音声データから左上側音声データ及び右上側音声データを生成する生成手段と、
左上側音声データ及び右上側音声データ以外のチャンネルの音声データから左上側音声データ及び右上側音声データを生成するように設定されていると判断された場合、左音声データ及び右音声データを前記ディスプレイ装置に送信し、前記ディスプレイ左スピーカーから左音声データを再生させ、前記ディスプレイ右スピーカーから右音声データを再生させると共に、前記左スピーカーから左上側音声データを再生させ、前記右スピーカーから右上側音声データを再生させる再生制御手段とを備え、
左上側音声データ及び右上側音声データ以外のチャンネルの音声データから左上側音声データ及び右上側音声データを生成するように設定されていないと判断された場合、前記再生制御手段が、前記左スピーカーから左音声データを再生させ、前記右スピーカーから右音声データを再生させる、音声処理装置。
【請求項５】
前方左側であって第２左スピーカーよりも上方に配置される左スピーカー、前方右側であって第２右スピーカーよりも上方に配置される右スピーカー、前方左側に配置される第２左スピーカー、及び、前方右側に配置される第２右スピーカーが接続可能な音声処理装置であって、
左音声データ及び右音声データを少なくとも含むマルチチャンネル音声データに、左上側音声データ及び右上側音声データが含まれているかを判断するチャンネル判断手段と、
マルチチャンネル音声データに左上側音声データ及び右上側音声データが含まれていると判断された場合、前記左スピーカーから左上側音声データを再生させ、前記右スピーカーから右上側音声データを再生させると共に、前記第２左スピーカーから左音声データを再生させ、前記第２右スピーカーから右音声データを再生させ、マルチチャンネル音声データに左上側音声データ及び右上側音声データが含まれていないと判断された場合、前記左スピーカーから左音声データを再生させ、前記右スピーカーから右音声データを再生させる再生制御手段とを備える、音声処理装置。
【請求項６】
前方左側であって第２左スピーカーよりも上方に配置される左スピーカー、前方右側であって第２右スピーカーよりも上方に配置される右スピーカー、前方左側に配置される第２左スピーカー、及び、前方右側に配置される第２右スピーカーが接続可能な音声処理装置であって、
左音声データ及び右音声データを少なくとも含むマルチチャンネル音声データにおける左上側音声データ及び右上側音声データ以外のチャンネルの音声データから左上側音声データ及び右上側音声データを生成するように設定されているか否かを判断する設定判断手段と、
左上側音声データ及び右上側音声データ以外のチャンネルの音声データから左上側音声データ及び右上側音声データを生成する生成手段と、
左上側音声データ及び右上側音声データ以外のチャンネルの音声データから左上側音声データ及び右上側音声データを生成するように設定されていると判断された場合、前記左スピーカーから左上側音声データを再生させ、前記右スピーカーから右上側音声データを再生させると共に、前記第２左スピーカーから左音声データを再生させ、前記第２右スピーカーから右音声データを再生させ、左上側音声データ及び右上側音声データ以外のチャンネルの音声データから左上側音声データ及び右上側音声データを生成するように設定されていないと判断された場合、前記左スピーカーから左音声データを再生させ、前記右スピーカーから右音声データを再生させる再生制御手段とを備える、音声処理装置。
【請求項７】
請求項１〜６のいずれかに記載の音声処理装置における各手段をコンピュータに実行させる、音声処理プログラム。
【発明の詳細な説明】
【技術分野】
【０００１】
本発明は、左上側音声データ、及び、右上側音声データを含むマルチチャンネル音声データを再生する音声処理装置に関する。
【背景技術】
【０００２】
ＨＤＭＩ規格に準拠したソース機器であるＤＶＤプレーヤと、リピーター機器であるＡＶアンプと、シンク機器であるディスプレイ装置とを備える音声再生システムが利用されており、ソース機器から出力されるＨＤＭＩデータに映像データ及び音声データを含めることにより、１本のＨＤＭＩケーブルによって映像データ及び音声データの両方をリピーター機器又はシンク機器に送信することができる。ＡＶアンプは、ＤＶＤプレーヤから受信したＨＤＭＩデータを元の映像データ及び音声データに変換し、音声データを増幅してスピーカーに出力すると共に、映像データを再度ＨＤＭＩデータに変換し、ディスプレイ装置に送信する。ディスプレイ装置は、受信したＨＤＭＩデータを元の映像データに変換して表示する。
【０００３】
ＤＶＤプレーヤからＡＶアンプに送信されるＨＤＭＩデータに含まれている音声データは、マルチチャンネル音声データがエンコードされたものである。例えば、マルチチャンネル音声データは、図１２に示すように、左音声データＬ、右音声データＲ、中央音声データＣ、低域音声データＳＷ、サラウンド左音声データＬＳ、サラウンド右音声データＲＳ、サラウンド後方左音声データＬＳＢ、サラウンド後方右音声データＲＳＢを含む７．１ｃｈのマルチチャンネル音声データが採用されている。また、最近では、Dolby True HD、Dolby Digital
Plus、DTS-HD等のＨＤ（High Definition）関連の音声フォーマットが登場してきており、これらのフォーマットにおいては、例えば、左上側音声データＬｈ、右上側音声データＲｈがさらに追加されている。
【０００４】
しかしながら、コストの問題を考慮し、ＡＶアンプには左上側音声データＬｈ、右上側音声データＲｈ等に対応する増幅処理部やスピーカー出力端子が設けられていないことが多い。あるいは、これらの音声データに対応する増幅処理部及びスピーカー出力端子がＡＶアンプに設けられている場合であっても、ユーザがこれらの音声データに対応するスピーカーをＡＶアンプに接続しないことが多い。その結果、ＤＶＤディスクにこれらの音声データが含まれている場合であっても、これらの音声データを再生し、スピーカーから音声を再生することができない。
【０００５】
下記特許文献１には、以下の技術を記載する。ＡＶアンプにおいて、ＨＤＭＩ受信部は、ＤＶＤプレーヤから受信したＨＤＭＩデータから、元の映像データと元のマルチチャンネル音声データとを生成し、映像データをＨＤＭＩ送信部に供給し、音声データを音声処理部に供給する。音声処理部は、マルチチャンネル音声データをデコードし、中央音声データのみをＨＤＭＩ送信部に供給し、他のチャンネルの音声データをＤ／Ａ変換し、増幅処理し、スピーカーに出力する。ＨＤＭＩ送信部は、供給された映像データと中央音声データとからＨＤＭＩデータを生成し、ディスプレイ装置に送信する。ディスプレイ装置は、受信したＨＤＭＩデータから元の映像データと中央音声データとを生成し、映像を表示すると共に、中央音声データを内蔵するスピーカーから再生する。
【０００６】
しかし、特許文献１には、左上側音声データＬｈ、右上側音声データＲｈについては、何ら記載されていない。
【先行技術文献】
【特許文献】
【０００７】
【特許文献１】特開２００７−２８８２４７号公報
【発明の概要】
【発明が解決しようとする課題】
【０００８】
本発明は上記従来の課題を解決するためになされたものであり、その目的は、左上側音声データＬｈ、右上側音声データＲｈ等に対応する増幅処理部やスピーカー出力端子が設けられていない場合、あるいは、これらの音声データに対応するスピーカーが接続されていない場合にも、これらの音声データをスピーカーから再生することができる音声処理装置を提供することである。
【課題を解決するための手段】
【０００９】
本発明の好ましい実施形態による音声処理装置は、ディスプレイ左スピーカー及びディスプレイ右スピーカーを備えるディスプレイ装置と、前方左側であって前記ディスプレイ左スピーカーよりも上方に配置される左スピーカー及び前方右側であって前記ディスプレイ右スピーカーよりも上方に配置される右スピーカーとが接続可能な音声処理装置であって、左音声データ及び右音声データを少なくとも含むマルチチャンネル音声データに、左上側音声データ及び右上側音声データが含まれているかを判断するチャンネル判断手段と、マルチチャンネル音声データに左上側音声データ及び右上側音声データが含まれていると判断された場合、左音声データ及び右音声データを前記ディスプレイ装置に送信し、前記ディスプレイ左スピーカーから左音声データを再生させ、前記ディスプレイ右スピーカーから右音声データを再生させると共に、前記左スピーカーから左上側音声データを再生させ、前記右スピーカーから右上側音声データを再生させる再生制御手段とを備え、マルチチャンネル音声データに左上側音声データ及び右上側音声データが含まれていないと判断された場合、前記再生制御手段が、前記左スピーカーから左音声データを再生させ、前記右スピーカーから右音声データを再生させる。
【００１０】
左上側音声データ、右上側音声データに対応するスピーカー出力端子が音声処理装置に設けられていない場合、もしくは、これらの音声データに対応するスピーカー出力端子が設けられているがスピーカーが接続されていない場合であっても、ディスプレイ左スピーカー、ディスプレイ右スピーカー、左スピーカー及び右スピーカーを使ってこれらの音声データを再生することができる。しかも、左上側音声データ及び右上側音声データが含まれているか否かによって、左音声データ及び右音声データを、ディスプレイ左スピーカー及びディスプレイ右スピーカーから再生させるか、又は、左スピーカー及び右スピーカーから再生させるかを変更しているので、適切な位置からこれらの音声データを再生することができる。一般的には、ディスプレイ左スピーカー及びディスプレイ右スピーカーは、左スピーカー及び右スピーカーよりも音質が劣るので、左上側音声データ及び右上側音声データが含まれていない場合には、左音声データ及び右音声データを左スピーカー及び右スピーカーから再生させることにより、音質を向上することができる。
【００１１】
好ましい実施形態においては、前記ディスプレイ装置が前記音声処理装置に接続されているか否かを判断するディスプレイ接続判断手段をさらに備え、前記ディスプレイ装置が前記音声処理装置に接続されていないと判断された場合、マルチチャンネル音声データに左上側音声データ及び右上側音声データが含まれているか否かに関係なく、前記左スピーカーから左音声データを再生させ、前記右スピーカーから右音声データを再生させる。
【００１２】
ディスプレイ装置が接続されていない場合には、ディスプレイ左スピーカー及びディスプレイ右スピーカーから、音声データを再生することができない。従って、マルチチャンネル音声データに左上側音声データ及び右上側音声データが含まれている場合であっても、左音声データ及び右音声データを左スピーカー及び右スピーカーから再生させることにより、一般的にメインの音声データである左音声データ及び右音声データが再生されないという不具合を防止できる。
【００１３】
好ましい実施形態においては、前記ディスプレイ装置が、ボリューム設定コマンドを受信したとき、前記ディスプレイ左スピーカー及び前記ディスプレイ右スピーカーから再生される音声のボリューム値を、ボリューム設定コマンドに含まれているボリューム値に設定するものであり、マルチチャンネル音声データに、左上側音声データ及び右上側音声データが含まれていると判断された場合、前記音声処理装置に設定されているボリューム値を含むボリューム設定コマンドを前記ディスプレイ装置に送信するボリューム制御手段をさらに備える。
【００１４】
この場合、ディスプレイ左スピーカー及びディスプレイ右スピーカーから再生される音声のボリューム値を、左スピーカー及び右スピーカーから再生される音声のボリューム値に一致させることができる。
【００１５】
本発明の別の好ましい実施形態による音声処理装置は、ディスプレイ左スピーカー及びディスプレイ右スピーカーを備えるディスプレイ装置と、前方左側であって前記ディスプレイ左スピーカーよりも上方に配置される左スピーカー及び前方右側であって前記ディスプレイ右スピーカーよりも上方に配置される右スピーカーとが接続可能な音声処理装置であって、左音声データ及び右音声データを少なくとも含むマルチチャンネル音声データにおける左上側音声データ及び右上側音声データ以外のチャンネルの音声データから左上側音声データ及び右上側音声データを生成するように設定されているか否かを判断する設定判断手段と、
左上側音声データ及び右上側音声データ以外のチャンネルの音声データから左上側音声データ及び右上側音声データを生成する生成手段と、左上側音声データ及び右上側音声データ以外のチャンネルの音声データから左上側音声データ及び右上側音声データを生成するように設定されていると判断された場合、左音声データ及び右音声データを前記ディスプレイ装置に送信し、前記ディスプレイ左スピーカーから左音声データを再生させ、前記ディスプレイ右スピーカーから右音声データを再生させると共に、前記左スピーカーから左上側音声データを再生させ、前記右スピーカーから右上側音声データを再生させる再生制御手段とを備え、
左上側音声データ及び右上側音声データ以外のチャンネルの音声データから左上側音声データ及び右上側音声データを生成するように設定されていないと判断された場合、前記再生制御手段が、前記左スピーカーから左音声データを再生させ、前記右スピーカーから右音声データを再生させる。
【００１６】
本発明のさらに別の好ましい実施形態による音声処理装置は、前方左側であって第２左スピーカーよりも上方に配置される左スピーカー、前方右側であって第２右スピーカーよりも上方に配置される右スピーカー、前方左側に配置される第２左スピーカー、及び、前方右側に配置される第２右スピーカーが接続可能な音声処理装置であって、左音声データ及び右音声データを少なくとも含むマルチチャンネル音声データに、左上側音声データ及び右上側音声データが含まれているかを判断するチャンネル判断手段と、マルチチャンネル音声データに左上側音声データ及び右上側音声データが含まれていると判断された場合、前記左スピーカーから左上側音声データを再生させ、前記右スピーカーから右上側音声データを再生させると共に、前記第２左スピーカーから左音声データを再生させ、前記第２右スピーカーから右音声データを再生させ、マルチチャンネル音声データに左上側音声データ及び右上側音声データが含まれていないと判断された場合、前記左スピーカーから左音声データを再生させ、前記右スピーカーから右音声データを再生させる再生制御手段とを備える。
【００１７】
本発明のさらに別の好ましい実施形態による音声処理装置は、前方左側であって第２左スピーカーよりも上方に配置される左スピーカー、前方右側であって第２右スピーカーよりも上方に配置される右スピーカー、前方左側に配置される第２左スピーカー、及び、前方右側に配置される第２右スピーカーが接続可能な音声処理装置であって、左音声データ及び右音声データを少なくとも含むマルチチャンネル音声データにおける左上側音声データ及び右上側音声データ以外のチャンネルの音声データから左上側音声データ及び右上側音声データを生成するように設定されているか否かを判断する設定判断手段と、左上側音声データ及び右上側音声データ以外のチャンネルの音声データから左上側音声データ及び右上側音声データを生成する生成手段と、左上側音声データ及び右上側音声データ以外のチャンネルの音声データから左上側音声データ及び右上側音声データを生成するように設定されていると判断された場合、前記左スピーカーから左上側音声データを再生させ、前記右スピーカーから右上側音声データを再生させると共に、前記第２左スピーカーから左音声データを再生させ、前記第２右スピーカーから右音声データを再生させ、左上側音声データ及び右上側音声データ以外のチャンネルの音声データから左上側音声データ及び右上側音声データを生成するように設定されていないと判断された場合、前記左スピーカーから左音声データを再生させ、前記右スピーカーから右音声データを再生させる再生制御手段とを備える。
【発明の効果】
【００１８】
左上側音声データ、右上側音声データに対応するスピーカー出力端子が音声処理装置に設けられていない場合、もしくは、これらの音声データに対応するスピーカー出力端子が設けられているがスピーカーが接続されていない場合であっても、ディスプレイ左スピーカー、ディスプレイ右スピーカー、左スピーカー及び右スピーカーを使ってこれらの音声データを再生することができる。
【発明を実施するための形態】
【００１９】
以下、本発明の好ましい実施形態によるディスク再生装置（ソース機器、ＤＶＤプレーヤ）、音声処理装置（リピータ機器、ＡＶアンプ）およびディスプレイ装置（シンク機器、テレビジョン受像機）を備える音声再生システムついて、図面を参照して具体的に説明するが、本発明はこれらの実施形態には限定されない。
【００２０】
図１Ａは、本実施形態における、ＡＶアンプ２０、ディスプレイ装置３０、及び、各スピーカーの配置の一例を説明する図である（ＤＶＤプレーヤ１０は省略している）。ディスプレイ装置３０には、表示部３２と、ディスプレイ左スピーカーＳＬＤと、ディスプレイ右スピーカーＳＲＤとが設けられている。ＡＶアンプ２０には、ＨＤＭＩケーブルを介してディスプレイ装置３０が接続され、左スピーカーＳＬ、右スピーカーＳＲ、中央スピーカーＳＣ、低域スピーカーＳＳＷ、サラウンド左スピーカーＳＬＳ、サラウンド右スピーカーＳＲＳ、サラウンド後方左スピーカーＳＬＳＢ、サラウンド後方右スピーカーＳＲＳＢが接続されている。
【００２１】
本例においては、ＡＶアンプ２０は、後述する左上側音声データＬｈ、右上側音声データＲｈに対応する増幅処理部及びスピーカー出力端子を備えておらず、従って、図１Ａでは、これらの音声データに対応するスピーカーが接続及び配置されていない。
【００２２】
図１Ｂは、部屋における一部のスピーカーの配置を示す図である。本例においては、少なくとも、左スピーカーＳＬ、及び、右スピーカーＳＲは、リスナーの前方左側において、天井に取り付けられている（つまり、天井に埋め込まれ、又は、天井からつり下げられている）。言い換えると、左スピーカーＳＬは、前方左側であって、ディスプレイ左スピーカーＳＬＤよりも上方に配置され、右スピーカーＳＲは、前方右側であって、ディスプレイ右スピーカーＳＲＤよりも上方に配置されている。同様に、中央スピーカーＳＣ、サラウンド左スピーカーＳＬＳ、及び、サラウンド右スピーカーＳＲＳも、天井に取り付けられている。
【００２３】
図２は、ＤＶＤプレーヤ１０およびＡＶアンプ２０の構成を、図３は、ＡＶアンプ２０（図２と同一）およびディスプレイ装置３０の構成をそれぞれ示すブロック図である。ＤＶＤプレーヤ１０、ＡＶアンプ２０およびディスプレイ装置３０は、例えばＨＤＭＩ規格に準拠しており、ＨＤＭＩケーブルを介して相互に接続されている。
【００２４】
［ＤＶＤプレーヤ１０の構成］
ＤＶＤプレーヤ１０は、再生部１１と、解像度変換部１２と、ＨＤＭＩ送信部１３と、システム制御部１４と、操作表示部１５と、メモリ１６と、コネクタ部１７とを有している。
【００２５】
再生部１１は、ＤＶＤディスク（以下、単にディスクという。）に記録されている映像データをディスクから読み出して、解像度変換部１２に供給する。また、再生部１１は、ディスクに記録されているエンコードされたマルチチャンネル音声データをディスクから読み出して、ＨＤＭＩ送信部１３に供給する。再生部１１は、図示しない光ピックアップ、サーボ回路、ＭＰＥＧデコーダ、音声デコーダ等を含む。
【００２６】
解像度変換部１２は、再生部１１から供給された映像データの解像度を判別する。また、解像度変換部１２は、判別した映像データの解像度を、システム制御部１４からのコマンドにより、ユーザによって設定された解像度に変換する。解像度変換部１２によって解像度が変換された映像データは、ＨＤＭＩ送信部１３に供給される。
【００２７】
ＨＤＭＩ送信部１３は、解像度変換部１２から供給された映像データ、および、再生部１１から供給された音声データを、システム制御部１４からのコマンドにより、ＨＤＭＩ規格のデータ（以下、ＨＤＭＩデータ）に変換する。ＨＤＭＩ送信部１３は、ＨＤＭＩデータをコネクタ部１７を介してＡＶアンプ２０に送信する。
【００２８】
ＨＤＭＩ送信部１３は、ＨＤＭＩデータを送受信するＴＭＤＳライン（通常は複数存在するが簡単のため１本のラインのみを記載している）、および、接続の有無を判断するためのホットプラグを介して、ＡＶアンプ２０のＨＤＭＩ受信部２１に接続される。また、ＨＤＭＩ送信部１３は、認証情報やＥＤＩＤを読み出すためのＤＤＣラインを介してＡＶアンプ２０のＨＤＭＩ受信部２１、ＰＲＯＭ２５に接続されている。
【００２９】
システム制御部１４は、内蔵又は接続されたメモリに格納されているＤＶＤプレーヤの動作プログラムに基づいて、再生部１１、解像度変換部１２、ＨＤＭＩ送信部１３、操作表示部１５、メモリ１６等を制御するものであり、例えば、マイクロコンピュータやＣＰＵ等である。システム制御部１４は、操作表示部１５からの操作入力または各部からの制御信号およびデータに基づいて各種処理を実行する。
【００３０】
システム制御部１４は、ＣＥＣラインを介してＡＶアンプ２０のシステム制御部２３に接続され、システム制御部２３とコマンドおよび／またはデータを送受信する。
【００３１】
［ＡＶアンプの構成］
次に、図２又は図３を参照し、ＡＶアンプ２０の構成を説明する。ＡＶアンプ２０は、ＨＤＭＩ受信部２１と、ＨＤＭＩ送信部２２と、システム制御部２３と、操作表示部２４と、メモリ（ＥＤＩＤ  ＰＲＯＭ、以下、ＰＲＯＭとする）２５と、音声処理部２６と、コネクタ部２７、２８とを有している。
【００３２】
ＨＤＭＩ受信部２１は、ＤＶＤプレーヤ１０から送信されたＨＤＭＩデータを受信して、受信したＨＤＭＩデータから元の映像データ（ＨＤＭＩ変換前の映像データ）を生成して、ＨＤＭＩ送信部２２に供給する。また、ＨＤＭＩ受信部２１は、受信したＨＤＭＩデータから元のマルチチャンネル音声データを生成して、音声処理部２６に供給する。
【００３３】
音声処理部２６は、ＨＤＭＩ受信部２１から供給されたマルチチャンネル音声データをデコードし、音響処理、Ｄ／Ａ変換処理、ボリューム調整処理、増幅処理等の各処理を実行し、外部に接続されたスピーカー６０（図１Ａ、図１Ｂの各スピーカーに対応）に各チャンネルの音声信号を供給する。また、必要に応じて、音声処理部２６は、あるチャンネルの音声データをＨＤＭＩ送信部２２に供給する。
【００３４】
ここで、音声処理部２６に供給されるマルチチャンネル音声データについて説明する。Dolby True HD、Dolby Digital
Plus、DTS-HD等のＨＤ（High Definition）関連の音声フォーマットにおいては、図１２に示すように、例えば、左音声データＬ、右音声データＲ、中央音声データＣ、低域音声データＳＷ、サラウンド左音声データＬＳ、サラウンド右音声データＲＳ、サラウンド後方左音声データＬＳＢ、サラウンド後方右音声データＲＳＢ、左上側音声データＬｈ、右上側音声データＲｈ等があり、音声処理部２６に供給されるマルチチャンネル音声データには、これらの中から選択された８チャンネル（一般的には、低域音声データＳＷを０．１ｃｈと表現し、７．１チャンネルと呼ばれている）の音声データが含まれている。
【００３５】
なお、左上側音声データＬｈは、左音声データＬの上方の位置から再生される音声データである。右上側音声データＲｈは、右音声データＲの上方の位置から再生される音声データである。上記の通り、これらの音声データに対応するスピーカーは、図１Ａ、図１Ｂにおいては設けられていない。
【００３６】
例えば、音声処理部２６に供給されるマルチチャンネル音声データには、以下の（１）〜（２）のパターンが考えられる。
（１）左音声データＬ、右音声データＲ、中央音声データＣ、低域音声データＳＷ、サラウンド左音声データＬＳ、サラウンド右音声データＲＳ、サラウンド後方左音声データＬＳＢ、サラウンド後方右音声データＲＳＢが含まれている場合。
（２）左音声データＬ、右音声データＲ、中央音声データＣ、低域音声データＳＷ、サラウンド左音声データＬＳ、サラウンド右音声データＲＳ、左上側音声データＬｈ、右上側音声データＲｈが含まれている場合。
【００３７】
図４は、音声処理部２６の構成を示すブロック図である。音声処理部２６は、ＤＳＰ４１と、ＤＡＣ（デジタル−アナログ変換器）４２と、ボリューム調整部４３と、増幅処理部４４と、変換部４５と、切換部４６とを有する。本例においては、切換部４６はＤＳＰ４１の内部に設けられているが、ＤＳＰ４１の後段（ＤＳＰ４１とＤＡＣ４２との間、および、ＤＳＰ４１と変換部４５との間）に設けられてもよい。
【００３８】
ＤＳＰ４１は、ＨＤＭＩ受信部２１から供給されるマルチチャンネル音声データをデコードし、デコードされた各チャンネルの音声データを生成する。ＤＳＰ４１においてデコードされた音声データのうち、中央音声データＣ、低域音声データＳＷ、サラウンド左音声データＬＳ、サラウンド右音声データＲＳ、サラウンド後方左音声データＬＳＢ、サラウンド後方右音声データＲＳＢは、そのままＤＡＣ４２に供給される。一方、左音声データＬ、右音声データＲ、左上側音声データＬｈ、右上側音声データＲｈは、まず切換部４６に供給される。
【００３９】
切換部４６は、左音声データＬ、右音声データＲ、左上側音声データＬｈ、右上側音声データＲｈについて、ＤＡＣ４２に供給する（つまり、ＡＶアンプ２０に接続されたスピーカーから再生する）か、又は、変換部４５に供給する（つまり、ディスプレイ装置のスピーカーから再生する）かを、選択する。詳細には、切換部４６は、左音声データＬと左上側音声データＬｈとのどちらをＤＡＣ４２に供給するかを切り換えるスイッチＳＷ１と、右音声データＲと右上側音声データＲｈとのどちらをＤＡＣ４２に供給するかを切り換えるスイッチＳＷ２と、左音声データＬを変換部４５に供給するか否かを切り換えるスイッチＳＷ３と、右音声データＲを変換部４５に供給するか否かを切り換えるスイッチＳＷ４とを含む。
【００４０】
ＤＳＰ４１は、マルチチャンネル音声データに左上側音声データＬｈ、右上側音声データＲｈが含まれていない場合に、他のチャンネルの音声データから左上側音声データＬｈ、右上側音声データＲｈを生成することができる。例えば、ＤＳＰ４１は、左音声データＬとサラウンド左音声データＬＳとから左上側音声データＬｈを生成し、右音声データＲとサラウンド右音声データＲＳとから右上側音声データＲｈを生成する。生成された左上側音声データＬｈ、右上側音声データＲｈは、スイッチＳＷ１、ＳＷ２にそれぞれ供給される。
【００４１】
ＤＡＣ４２は、ＤＳＰ４１及び切換部４６から供給される各チャンネルの音声データをデジタル−アナログ変換し、各チャンネルのアナログ音声信号をボリューム調整部４３に供給する。
【００４２】
ボリューム調整部４３は、各チャンネルのアナログの音声信号のボリューム値を調整し、増幅処理部４４に供給する。ボリューム調整部４３は、各チャンネル毎に可変抵抗等のボリューム調整回路が設けられている。増幅処理部４４は、ボリューム調整部４３から供給された各チャンネルの音声信号を増幅して、各チャンネルのスピーカー出力端子を介して、各チャンネルのスピーカーに出力する。増幅処理部４４は、各チャンネル毎に増幅回路が設けられている。
【００４３】
変換部４５は、切換部４６から左音声データＬ及び右音声データＲが供給される。また、変換部４５は、ＤＳＰ４１からビットクロックＢＣＬＫ、マスタークロックＭＣＬＫ及びＬＲクロックＬＲＣＬＫが供給される。変換部４５は、各クロックに基づいて、左音声データＬ及び右音声データＲをＳＰＤＩＦ（２チャンネルＰＣＭ）の音声データに変換し、ＨＤＭＩ送信部２２に供給する。
【００４４】
図２又は図３に戻り、ＨＤＭＩ送信部２２は、ＨＤＭＩ受信部２１から供給された映像データ、並びに、音声処理部２６の変換部４５から供給された左音声データＬ及び右音声データＲを、ＨＤＭＩデータに変換する。ＨＤＭＩ送信部２２は、変換したＨＤＭＩデータをディスプレイ装置３０のＨＤＭＩ受信部３１に送信する。
【００４５】
ＨＤＭＩ送信部２２は、ＴＭＤＳラインおよびホットプラグを介して、ディスプレイ装置３０のＨＤＭＩ受信部３１に接続されている。また、ＨＤＭＩ送信部２２は、ＤＤＣラインを介してディスプレイ装置３０のＰＲＯＭ３４及びＨＤＭＩ受信部３１に接続されている。
【００４６】
システム制御部２３は、内蔵又は接続されたメモリに記憶されているＡＶアンプの動作プログラムに基づいて、ＨＤＭＩ受信部２１、ＨＤＭＩ送信部２２、操作表示部２４、ＰＲＯＭ２５、音声処理部２６等を制御するものであり、例えば、マイクロコンピュータやＣＰＵ等である。システム制御部２３は、操作表示部２４からの操作入力または各部からの制御信号およびデータに基づいて各種処理を実行する。
【００４７】
システム制御部２３は、音声処理部２６からマルチチャンネル音声データのチャンネル情報を取得し、マルチチャネル音声データに左上側音声データＬｈ及び右上側音声データＲｈが含まれているか否かを判断する。または、システム制御部２３は、マルチチャネル音声データに左上側音声データＬｈ及び右上側音声データＲｈが含まれていないが、ユーザ操作によって、他のチャンネルの音声データから左上側音声データＬｈ及び右上側音声データＲｈを生成して出力するように設定されているか否かを判断してもよい。
【００４８】
左上側音声データＬｈ及び右上側音声データＲｈが含まれている場合（又は、左上側音声データＬｈ及び右上側音声データＲｈを他のチャンネルの音声データから生成する場合）には、システム制御部２３は、左音声データＬ及び右音声データＲを変換部４５に出力し、左上側音声データＬｈ及び右上側音声データＲｈをＤＡＣ４２に出力するように切換部４６を制御する。すなわち、スイッチＳＷ１に左上側音声データＬｈを選択させ、スイッチＳＷ２に右上側音声データＲｈを選択させ、スイッチＳＷ３に左音声データＬを選択させ（オン状態にし）、スイッチＳＷ４に右音声データＲを選択させる（オン状態にする）。これにより、図１Ａ、図１Ｂにおいて、左スピーカーＳＬから左上側音声データＬｈが再生され、右スピーカーＳＲから右上側音声データＲｈが再生され、ディスプレイ左スピーカーＳＬＤから左音声データＬが再生され、ディスプレイ右スピーカーＳＲＤから右音声データＲが再生される。
【００４９】
一方、左上側音声データＬｈ及び右上側音声データＲｈが含まれていない場合には、システム制御部２３は、左音声データＬ及び右音声データＲをＤＡＣ４２に出力するように切換部４６を制御する。すなわち、スイッチＳＷ１に左音声データＬを選択させ、スイッチＳＷ２に右音声データＲを選択させ、スイッチＳＷ３に左音声データＬを選択させず（オフ状態にし）、スイッチＳＷ４に右音声データＲを選択させない（オフ状態にする）。これにより、図１Ａ、図１Ｂにおいて、左スピーカーＳＬから左音声データＬが再生され、右スピーカーＳＲから右音声データＲが再生され、ディスプレイ左スピーカーＳＬＤ及びディスプレイ右スピーカーＳＲＤからは音声が再生されない。
【００５０】
システム制御部２３は、ＣＥＣラインを介してＤＶＤプレーヤ１０のシステム制御部１４に接続され、システム制御部１４とコマンドおよびデータを送受信する。また、システム制御部２３は、ＣＥＣラインを介してディスプレイ装置３０のシステム制御部３３に接続され、システム制御部３３とコマンドおよびデータを送受信する。
【００５１】
システム制御部２３は、マルチチャネル音声データに、左上側音声データＬｈ及び右上側音声データＲｈが含まれている場合に、ＣＥＣラインを介してディスプレイ装置３０に、現在ＡＶアンプ２０に設定されているボリューム値を含むボリューム設定コマンドを送信する。ディスプレイ装置３０のスピーカーを使用して左音声データＬ及び右音声データＲを再生する際に、ＡＶアンプ２０に接続されたスピーカーから再生される音声のボリュームと、ディスプレイ３０のスピーカーから再生される音声のボリュームとを一致させるためである。
【００５２】
［ディスプレイ装置３０の構成］
次に、図３を参照し、ディスプレイ装置３０について説明する。ディスプレイ装置３０は、ＨＤＭＩ受信部３１と、表示部３２と、システム制御部３３と、メモリ（ＥＤＩＤ  ＰＲＯＭ、以下、ＰＲＯＭとする）３４と、操作部３５と、音声処理部３６と、スピーカー３７（図１Ａにおける、ディスプレイ左スピーカーＳＬＤ及びディスプレイ右スピーカーＳＲＤに対応）と、コネクタ部３８とを有する。
【００５３】
ＨＤＭＩ受信部３１は、ＡＶアンプ２０のＨＤＭＩ送信部２２から送信されたＨＤＭＩデータを受信して、ＨＤＭＩデータから元の映像データを生成し、表示部３２に供給する。また、ＨＤＭＩ受信部３１は、ＨＤＭＩデータから元の音声データを生成して、音声処理部３６に供給する。音声データは、上記の通り、左音声データＬ及び右音声データＲを含むＳＰＤＩＦ（ＰＣＭ）データである。
【００５４】
音声処理部３６は、ＨＤＭＩ受信部３１から供給された音声データを、Ｄ／Ａ変換処理、ボリューム調整処理、増幅処理等の各処理を実行し、スピーカー３７に供給する。図５は、音声処理部３６の構成を示すブロック図である。音声処理部３６は、ＤＡＣ（デジタル−アナログ変換器）５１と、ボリューム調整部５２と、増幅処理部５３とを含む。
【００５５】
ＤＡＣ５１は、ＨＤＭＩ受信部３１から供給される音声データをデジタル−アナログ変換し、アナログ音声信号をボリューム調整部５２に供給する。ボリューム調整部５２は、ＤＡＣ５１からのアナログ音声信号のボリューム値を調整し、増幅処理部５３に供給する。ボリューム調整部５２のボリューム値は、ＡＶアンプ２０のシステム制御部１４からのボリューム設定コマンドに含まれているボリューム値にシステム制御部３３によって調整される。増幅処理部５３は、ボリューム調整部５２からの音声信号を増幅し、スピーカーに出力する。すなわち、左音声データＬがディスプレイ左スピーカーＳＬＤから再生され、右音声データＲがディスプレイ右スピーカーＳＲＤから再生される。
【００５６】
表示部３２は、ＨＤＭＩ受信部３１から映像データが供給され、当該映像データに基づいて映像を表示するものであり、例えば、ＬＣＤまたはＣＲＴ等である。
【００５７】
システム制御部３３は、内蔵又は接続されたメモリに格納されたディスプレイ装置の動作プログラムに基づいて、ＨＤＭＩ受信部３１、表示部３２、ＰＲＯＭ３４、音声処理部３６等を制御するものであり、例えば、マイクロコンピュータやＣＰＵ等である。システム制御部３３は、操作部３５からの操作入力または各部からの制御信号およびデータに基づいて各種処理を実行する。
【００５８】
システム制御部３３は、ＡＶアンプ２０のシステム制御部２３からボリューム設定コマンドを受信すると、ボリューム設定コマンドに含まれているボリューム値に基づいて、ボリューム調整部５２のボリューム値を制御する。システム制御部３３は、ボリューム値の制御が完了すると、ＣＥＣラインを介して、ＡＶアンプ２０のシステム制御部２３にボリューム設定完了通知を送信する。ＡＶアンプ２０に、左音声データＬ及び右音声データＲを含むＨＤＭＩデータの送信開始を促すためである。
【００５９】
［音声再生システムの動作］
以下、本発明の動作を図６〜図８のフローチャートを参照し、説明する。図６に示すように、ＡＶアンプ２０のシステム制御部２３は、ＤＶＤプレーヤ１０からＨＤＭＩデータが入力されたか否か、すなわち、ＨＤＭＩ受信部２１がＨＤＭＩデータを受信したか否かを監視している（Ｓ１１）。ＨＤＭＩデータが入力されると（Ｓ１１でＹＥＳ）、システム制御部２３は、ボリューム調整部４３及び増幅処理部４４をミュート状態に制御し（Ｓ１２）、切換部４６の各スイッチの切り換えによるノイズがスピーカーから出力されないようにする。
【００６０】
ＨＤＭＩ受信部２１は、ＨＤＭＩデータから元の映像データ及びマルチチャンネル音声データを生成し、映像データをＨＤＭＩ送信部２２に供給し、マルチチャンネル音声データを音声処理部２６に供給する。音声処理部２６は、マルチチャンネル音声データの一部をデコードし、その情報領域に含まれているチャンネル情報を読み出して、システム制御部２３に供給する（Ｓ１３）。
【００６１】
続いて、システム制御部２３は、ディスプレイ装置３０がＡＶアンプ２０に接続されているか否かを判断する（Ｓ１４）。例えば、ＨＤＭＩケーブルを介してディスプレイ装置３０が接続されているとき、ディスプレイ装置３０から出力されるホットプラグがハイレベルになっているので、ホットプラグのレベルを判別することによって、接続有無を判断できる。ここでは、ディスプレイ装置３０が接続されているので（Ｓ１４でＹＥＳ）、Ｓ１５に進む。
【００６２】
システム制御部２３は、マルチチャンネル音声データに左上側音声データＬｈ及び右上側音声データＲｈが含まれているか否かを判断する（Ｓ１５）。上記の（２）のマルチチャンネル音声データの場合には、これらのチャンネルの音声データが含まれている（Ｓ１５でＹＥＳ）。従って、システム制御部２３は、ディスプレイ装置３０のスピーカーで左音声データＬ及び右音声データＲを再生する準備を行うため、ＣＥＣラインを介して、ディスプレイ装置３０のシステム制御部３３にボリューム設定コマンドを送信する（Ｓ１６）。ボリューム設定コマンドには、現在のＡＶアンプ２０のボリューム調整部４３に設定されているボリューム値（相対的な値ではなく例えばｄＢ単位等の絶対的な値）が含まれている。
【００６３】
図７に示す通り、ディスプレイ装置３０のシステム制御部３３は、ＣＥＣラインを介して、ＡＶアンプ２０のシステム制御部２３からボリューム設定コマンドを受信したか否かを監視している（Ｓ３１）。ボリューム設定コマンドを受信すると（Ｓ３１でＹＥＳ）、システム制御部３３は、ボリューム設定コマンドに含まれているボリューム値を読み出して、ボリューム調整部５２のボリューム値を当該ボリューム値に設定する（Ｓ３２）。続いて、システム制御部３３は、ＣＥＣラインを介して、ＡＶアンプ２０のシステム制御部２３にボリューム設定完了通知を送信する（Ｓ３３）。その後、ディスプレイ装置３０は、ＡＶアンプ２０からＨＤＭＩデータを受信するまで待機する。
【００６４】
図６に戻って、ＡＶアンプ２０のシステム制御部２３は、ＣＥＣラインを介して、ディスプレイ装置３０のシステム制御部３３からボリューム設定完了通知を受信したか否かを監視している（Ｓ１７）。ボリューム設定完了通知を受信した場合（Ｓ１７でＹＥＳ）、システム制御部２３は音声処理部２６及びＨＤＭＩ送信部２２を制御し、マルチチャンネル音声データのデコードと、ＨＤＭＩデータのディスプレイ装置３０への送信を実行する（Ｓ１８）。
【００６５】
図８を参照して、Ｓ１８の詳細を説明する。音声処理部２６（ＤＳＰ４１）は、各チャンネルの音声データをデコードする（Ｓ２２）。システム制御部２３は、切換部４６において、スイッチＳＷ１に左上側音声データＬｈを選択させ、スイッチＳＷ２に右上側音声データＲｈを選択させ、スイッチＳＷ３に左音声データＬを選択させ、スイッチＳＷ４に右上側音声データＲを選択させる。
【００６６】
その結果、切換部４６は、ＤＳＰ４１によってデコードされた左音声データＬ及び右音声データＲを変換部４５に供給する。変換部４５は、左音声データＬ及び右音声データＲをＳＰＤＩＦ（ＰＣＭ）データに変換し、ＨＤＭＩ送信部２２に供給する。ＨＤＭＩ送信部２２は、映像データと、左音声データＬ及び右音声データＲとからＨＤＭＩデータを生成し、ディスプレイ装置３０のＨＤＭＩ受信部３１に送信する（Ｓ２３）。
【００６７】
図７に示すとおり、ディスプレイ装置３０のＨＤＭＩ受信部３１は、ＨＤＭＩデータを受信すると、元の映像データと、左音声データＬ及び右音声データＲとを生成し、映像データを表示部３２に供給し、左音声データＬ及び右音声データＲを音声処理部３６に供給する（Ｓ３４）。システム制御部３３は、ボリューム調整部５２及び増幅処理部５３を制御して、ミュート状態を解除する（Ｓ３５）。音声処理部３６において、ＤＡＣ５１が音声データをデジタル−アナログ変換し、ボリューム調整部５２がアナログ音声信号のボリューム値を調整し、増幅処理部５３がアナログ音声信号を増幅し、スピーカーに出力する。その結果、ディスプレイ左スピーカーＳＬＤから左音声データＬが再生され、ディスプレイ右スピーカーＳＲＤから右音声データＲｃが再生される（Ｓ３６）。
【００６８】
図８に示すとおり、切換部４６は、ＤＳＰ４１によってデコードされた左上側音声データＬｈ及び右上側音声データＲｈをＤＡＣ４２に供給する（Ｓ２４）。ＤＡＣ４２は、音声データをデジタル−アナログ変換し、ボリューム調整部５２は、アナログ音声信号のボリューム値を調整し、増幅処理部５３は、アナログ音声信号を増幅し、スピーカーに出力する。その結果、左スピーカーＳＬから左上側音声データＬｈが再生され、右スピーカーＳＲから右上側音声データＲｈが再生される。なお、同様に、中央音声データＣは中央スピーカーＣから再生され、サラウンド左音声データＬＳはサラウンド左スピーカーＳＬＳから再生され、サラウンド右音声データＲＳはサラウンド右スピーカーＳＲＳから再生される。
【００６９】
以上のように、上記（２）の音声データの場合には、ディスプレイ左スピーカーＳＬＤから左音声データＬが再生され、ディスプレイ右スピーカーＳＲＤから右音声データＲが再生され、左スピーカーＳＬから左上側音声データＬｈが再生され、右スピーカーＳＲから右上側音声データＲｈが再生される。従って、既存のスピーカー配置を使用して、左上側音声データＬｈ及び右上側音声データＲｈを適切な位置から再生することができる。
【００７０】
なお、Ｓ１５において、マルチチャンネル音声データに左上側音声データＬｈ、右上側音声データＲｈが含まれていないが、ユーザ操作によって、他のチャンネルの音声データから左上側音声データＬｈ、右上側音声データＲｈを生成して出力するように設定されているために、ＤＳＰ４１が他のチャンネルの音声データから左上側音声データＬｈ、右上側音声データＲｈを生成して切換部４６に出力するか否かを判断してもよい。
【００７１】
次に、上記（１）の音声データの場合、すなわち、左上側音声データＬｈ及び右上側音声データＲｈが含まれていない場合には、図６のＳ１５でＮＯと判断される。この場合、システム制御部２３は、通常の方法でマルチチャンネル音声データを再生するように制御する（Ｓ２１）。詳細には、システム制御部２３は、切換部４６において、スイッチＳＷ１に左音声データＬを選択させ、スイッチＳＷ２に右音声データＲを選択させる。また、システム制御部２３は、スイッチＳＷ３に左音声データＬを選択させず、スイッチＳＷ４に右音声データＲを選択させない。
【００７２】
切換部４６は、ＤＳＰ４１によってデコードされた左音声データＬ及び右音声データＲをＤＡＣ４２に供給する。ＤＡＣ４２は、音声データをデジタル−アナログ変換し、ボリューム調整部５２は、アナログ音声信号のボリュームを調整し、増幅処理部５３は、アナログ音声信号を増幅し、スピーカーに出力する。その結果、左スピーカーＳＬから左音声データＬが再生され、右スピーカーＳＲから右音声データＲが再生される。なお、同様に、中央音声データＣは中央スピーカーＣから再生され、サラウンド左音声データＬＳはサラウンド左スピーカーＳＬＳから再生され、サラウンド右音声データＲＳはサラウンド右スピーカーＳＲＳから再生され、サラウンド後方左音声データＬＳＢはサラウンド後方左スピーカーＳＬＳＢから再生され、サラウンド後方右音声データＲＳＢはサラウンド後方右スピーカーＳＲＳＢから再生される。
【００７３】
また、切換部４６から変換部４５には左音声データＬ及び右音声データＲが供給されず、変換部４５からＨＤＭＩ送信部２２に音声データが供給されない。従って、ＨＤＭＩ送信部２２は、映像データのみからＨＤＭＩデータを生成し、ディスプレイ装置３０のＨＤＭＩ受信部３１に送信する。
【００７４】
ディスプレイ装置３０のＨＤＭＩ受信部３１は、ＨＤＭＩデータを受信すると、元の映像データを生成し、映像データを表示部３２に供給する。一方、ディスプレイ装置３０のスピーカーには音声信号が供給されないので、ディスプレイ左スピーカーＳＬＤ及びディスプレイ右スピーカーＳＲＤからは音声が再生されない。
【００７５】
次に、Ｓ１４において、ディプレイ装置３０がＡＶアンプ２０に接続されていないと判断された場合（Ｓ１４でＮＯ）にも、Ｓ２１に進み、上記（１）の音声データの場合と同様の処理が実行される。ディスプレイ装置３０が接続されていない場合には、ディスプレイ左スピーカーＳＬＤ及びディスプレイ右スピーカーＳＲＤを使用して音声データを再生することができない。ここで、マルチチャンネル音声データに左上側音声データＬｈ及び右上側音声データＲｈが含まれている場合に、切換部４６において、スイッチＳＷ１に左上側音声データＬｈを選択させ、スイッチＳＷ２に右上側音声データＲｈを選択させ、スイッチＳＷ３に左音声データＬを選択させ、スイッチＳＷ４に右音声データＲを選択させた場合、メインの音声データである左音声データＬ及び右音声データＲが再生されないという問題が生じる。しかし、本例では、ディスプレイ装置３０が接続されていないと判断された場合に、スイッチＳＷ１に左音声データＬを選択させ、スイッチＳＷ２に右音声データＲを選択させることにより、左音声データＬ及び右音声データＲを確実に再生することができる。
【００７６】
次に、本発明にさらに別の好ましい実施形態を説明する。本例では、図９Ａ、図９Ｂ及び図１０に示すように、ＡＶアンプ２０ｃには、左音声データＬ及び右音声データＲに対するさらに一組のＤＡＣ４２ｃ、ボリューム調整部４３ｃ、増幅処理部４４ｃおよびスピーカー出力端子が設けられており、第２左スピーカーＳＬ２及び第２右スピーカーＳＲ２が接続可能になっている。第２左スピーカーＳＬ２は、例えばディスプレイ装置３０の左側に配置され、第２右スピーカーＳＲ２はディスプレイ装置３０の右側に配置されている。言い換えると、左スピーカーＳＬは、前方左側であって、第２左スピーカーＳＬ２よりも上方に配置され、右スピーカーＳＲは、前方右側であって、第２右スピーカーＳＲ２よりも上方に配置されている。
【００７７】
図１０に示すとおり、ＤＳＰ４１ｃ内の切換部４６ｃは、左音声データＬ（右音声データＲ）、左上側音声データＬｈ（右上側音声データＲｈ）について、左スピーカーＳＬ（右スピーカーＳＲ）から再生するか、又は、第２左スピーカーＳＬ２（第２右スピーカーＳＲ２）から再生するかを、選択する。詳細には、切換部４６ｃは、左音声データＬと左上側音声データＬｈとのどちらを左スピーカーＳＬに供給するかを切り換えるスイッチＳＷ１ｃと、右音声データＲと右上側音声データＲｈとのどちらを右スピーカーＳＲに供給するかを切り換えるスイッチＳＷ２ｃと、左音声データＬを第２左スピーカーＳＬ２に供給するか否かを切り換えるスイッチＳＷ３ｃと、右音声データＲを第２右スピーカーＳＲ２に供給するか否かを切り換えるスイッチＳＷ４ｃとを含む。
【００７８】
図１１は本例におけるＡＶアンプ２０ｃの動作を示すフローチャートである。
［（２）の音声データの場合］
上記（２）の音声データの場合、すなわち、左上側音声データＬｈ及び右上側音声データＲｈが含まれている場合には、Ｓ４２でＹＥＳと判断される。システム制御部２３は、切換部４６ｃにおいて、スイッチＳＷ１ｃに左上側音声データＬｈを選択させ、スイッチＳＷ２ｃに右上側音声データＲｈを選択させ、スイッチＳＷ３ｃに左音声データＬを選択させ、スイッチＳＷ４ｃに右音声データＲを選択させる（Ｓ４３、Ｓ４４）。
【００７９】
その結果、第２左スピーカーＳＬから左音声データＬが再生され、第２右スピーカーＳＲから右音声データＲが再生され、左スピーカーＳＬから左上側音声データＬｈが再生され、右スピーカーＳＲから右上側音声データＲｈが再生される。従って、左音声データＬ、右音声データＲ、左上側音声データＬｈ及び右上側音声データＲｈを適切な位置から再生することができる。
【００８０】
［（１）の音声データの場合］
上記（１）の音声データの場合、すなわち、左上側音声データＬｈ及び右上側音声データＲｈが含まれていない場合には、Ｓ４２でＮＯと判断される。システム制御部２３は、切換部４６ｃにおいて、スイッチＳＷ１ｃに左音声データＬを選択させ、スイッチＳＷ２ｃに右音声データＲを選択させ、スイッチＳＷ３ｃに左音声データＬを選択させず、スイッチＳＷ４ｃに右音声データＲを選択させない（Ｓ４５）。
【００８１】
その結果、左スピーカーＳＬから左音声データＬが再生され、右スピーカーＳＲから右音声データＲが再生され、第２左スピーカーＳＬ２から左音声データＬが再生されず、第２右スピーカーＳＲ２から右音声データＲが再生されない。従って、左音声データＬ、右音声データＲを適切な位置から再生することができる。
【００８２】
なお、本例においても、Ｓ４２において、マルチチャンネル音声データに左上側音声データＬｈ、右上側音声データＲｈが含まれていないが、ユーザ操作によって、他のチャンネルの音声データから左上側音声データＬｈ、右上側音声データＲｈを生成して出力するように設定されているために、ＤＳＰ４１ｃが他のチャンネルの音声データから左上側音声データＬｈ、右上側音声データＲｈを生成して切換部４６ｃに出力するか否かを判断してもよい。
【００８３】
以上、本発明の好ましい実施形態を説明したが、本発明はこれらの実施形態には限定されない。左音声データＬ、右音声データＲ、左上側音声データＬｈ、右上側音声データＲｈ以外のチャンネルの音声データ（およびスピーカー）は本発明にとって必須ではなく、また、異なるチャンネルの音声データが含まれていてもよい。また、ＡＶアンプ２０にＤＶＤプレーヤ１０の機能が含まれていてもよく、この場合、ＨＤＭＩ受信部２１は不要になる。また、ＡＶアンプ２０とディスプレイ装置３０との機能を有するテレビジョン受像機にも本発明を適用可能であり、この場合のマルチチャンネル音声データはＴＶ放送の音声データでもよい。また、ＡＶアンプ２０が、ＤＶＤプレーヤ１０に代えて受信機からＨＤＭＩデータを受信してもよい。また、ディスプレイ装置に送信される音声データは、ＨＤＭＩケーブルを介して送信されるのではなく、光デジタルケーブル等で送信されてもよい。この場合、別途他の通信ケーブルを介してボリューム設定コマンドが送信されるとよい。また、ＡＶアンプの上記動作をコンピュータに実行させるためのプログラムおよびこれを記録した記録媒体という形態で提供されてもよい。また、ＡＶアンプの上記動作の一部のみのプログラムを、ＡＶアンプにファームウェアアップデートという形態で提供されてもよい。さらには、ＡＶアンプの上記動作の一部のみのプログラムが格納されたＤＳＰ、マイコンなどの電子部品という形態で提供されてもよい。
【産業上の利用可能性】
【００８４】
本発明は、ＡＶアンプ等に好適に採用され得る。
【図面の簡単な説明】
【００８５】
【図１Ａ】ＡＶアンプ２０、ディスプレイ装置３０およびスピーカーの配置を示す図である。
【図１Ｂ】部屋におけるスピーカーの配置を示す図である。
【図２】本発明の好ましい実施形態によるＤＶＤプレーヤ１０およびＡＶアンプ２０の構成を示すブロック図である。
【図３】本発明の好ましい実施形態によるＡＶアンプ２０およびディスプレイ装置の構成を示すブロック図である。
【図４】音声処理部２６を説明するブロック図である。
【図５】音声処理部３６を説明するブロック図である。
【図６】ＡＶアンプ２０の動作を説明するフローチャートである。
【図７】ディスプレイ装置３０の動作を説明するフローチャートである。
【図８】Ｓ１８の詳細を示すフローチャートである。
【図９Ａ】他の実施形態による、ＡＶアンプ２０、およびスピーカーの配置を示す図である。
【図９Ｂ】他の実施形態による、部屋におけるスピーカーの配置を示す図である。
【図１０】他の実施形態による音声処理部２６ｃを説明するブロック図である。
【図１１】他の実施形態によるＡＶアンプ２０ｃの動作を説明するフローチャートである。
【図１２】マルチチャンネル音声データの各音声データの再生位置を示す図である。
【符号の説明】
【００８６】
１０            ＤＶＤプレーヤ
２０            ＡＶアンプ
２１            ＨＤＭＩ受信部
２２            ＨＤＭＩ送信部
２３            システム制御部
２６            音声処理部
３０            ディスプレイ装置
３１            ＨＤＭＩ受信部
３３            システム制御部
４１            ＤＳＰ
４２            ＤＡＣ
４３            ボリューム調整部
４４            増幅処理部
４５            変換部
４６            切換部
５１            ＤＡＣ
５２            ボリューム調整部
５３            増幅処理部
【図１Ａ】
2010278846.tif 000003
【図１Ｂ】
2010278846.tif 000004
【図２】
2010278846.tif 000005
【図３】
2010278846.tif 000006
【図４】
2010278846.tif 000007
【図５】
2010278846.tif 000008
【図６】
2010278846.tif 000009
【図７】
2010278846.tif 000010
【図８】
2010278846.tif 000011
【図９Ａ】
2010278846.tif 000012
【図９Ｂ】
2010278846.tif 000013
【図１０】
2010278846.tif 000014
【図１１】
2010278846.tif 000015
【図１２】
2010278846.tif 000016